【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
物体側から順に、負の屈折力を有する第１レンズ群と、正の屈折力を有する第２レンズ群と、負の屈折力を有する第３レンズ群と、正の屈折力を有する第４レンズ群とからなり、
広角端状態から望遠端状態への変倍に際して、前記第１レンズ群と前記第２レンズ群との間隔が減少し、前記第２レンズ群と前記第３レンズ群との間隔が増加し、前記第３レンズ群と前記第４レンズ群との間隔が減少するように、前記各レンズ群が光軸に沿って移動し、
前記第４レンズ群は、非球面プラスチックレンズを備えており、
前記第１レンズ群は、負レンズを有し、
前記第１レンズ群における前記負レンズは、以下の条件式を満足することを特徴とするズームレンズ。
30≦νｄ１≦71
30≦νｄ１＜36のとき
-0.013×νｄ１＋2.083≦ｎｄ１≦1.7
36≦νｄ１＜41のとき
-0.013×νｄ１＋2.083≦ｎｄ１≦-0.004×νｄ１＋1.844
41≦νｄ１＜51のとき
-0.004×νｄ１＋1.714≦ｎｄ１≦-0.004×νｄ１＋1.844
51≦νｄ１＜61のとき
-0.0015×νｄ１＋1.5865≦ｎｄ１≦-0.004×νｄ１＋1.844
61≦νｄ１≦71のとき
-0.0015×νｄ１＋1.5865≦ｎｄ１≦-0.009×νｄ１＋2.149
但し、
ｎｄ１：前記第１レンズ群における前記負レンズの材質のｄ線（波長λ＝５８７．６ｎｍ）に対する屈折率
νｄ１：前記第１レンズ群における前記負レンズの材質のｄ線（波長λ＝５８７．６ｎｍ）に対するアッベ数
【請求項２】
前記第１レンズ群は、物体側から順に、物体側レンズ面が凸の負メニスカスレンズと、像側レンズ面が凹の負レンズと、物体側レンズ面が凸の正レンズとを有し、
以下の条件式を満足することを特徴とする請求項１に記載のズームレンズ。
０．７≦（−ｆ１）／ｆｗ≦１．７
但し、
ｆ１：前記第１レンズ群の焦点距離
ｆｗ：広角端状態における前記ズームレンズの焦点距離
【請求項３】
前記第１レンズ群中に、少なくとも１つの非球面を備えていることを特徴とする請求項２に記載のズームレンズ。
【請求項４】
前記第１レンズ群における前記負メニスカスレンズの像側レンズ面が前記非球面であり、
以下の条件式を満足することを特徴とする請求項３に記載のズームレンズ。
０．３２≦Ｒａｓｐ／（−ｆ１）≦１．０
但し、
Ｒａｓｐ：前記非球面の近軸曲率半径
ｆ１    ：前記第１レンズ群の焦点距離
【請求項５】
前記各レンズ群は、２枚以上のレンズを備えていることを特徴とする請求項１から請求項４のいずれか１項に記載のズームレンズ。
【請求項６】
以下の条件式を満足することを特徴とする請求項１から請求項５のいずれか１項に記載のズームレンズ。
１．５≦ｆ４／ｆｗ≦２．９
但し、
ｆ４：前記第４レンズ群の焦点距離
ｆｗ：広角端状態における前記ズームレンズの焦点距離
【請求項７】
以下の条件式を満足することを特徴とする請求項１から請求項５のいずれか１項に記載のズームレンズ。
１．５≦ｆ４／ｆｗ≦２．４
但し、
ｆ４：前記第４レンズ群の焦点距離
ｆｗ：広角端状態における前記ズームレンズの焦点距離
【請求項８】
前記第２レンズ群は、正レンズを有し、
前記第２レンズ群における前記正レンズは、以下の条件式を満足することを特徴とする請求項１から請求項７のいずれか１項に記載のズームレンズ。
30≦νｄ２≦71
30≦νｄ２＜36のとき
-0.013×νｄ２＋2.083≦ｎｄ２≦1.7
36≦νｄ２＜41のとき
-0.013×νｄ２＋2.083≦ｎｄ２≦-0.004×νｄ２＋1.844
41≦νｄ２＜51のとき
-0.004×νｄ２＋1.714≦ｎｄ２≦-0.004×νｄ２＋1.844
51≦νｄ２＜61のとき
-0.0015×νｄ２＋1.5865≦ｎｄ２≦-0.004×νｄ２＋1.844
61≦νｄ２≦71のとき
-0.0015×νｄ２＋1.5865≦ｎｄ２≦-0.009×νｄ２＋2.149
但し、
ｎｄ２：前記第２レンズ群における前記正レンズの材質のｄ線（波長λ＝５８７．６ｎｍ）に対する屈折率
νｄ２：前記第２レンズ群における前記正レンズの材質のｄ線（波長λ＝５８７．６ｎｍ）に対するアッベ数
【請求項９】
前記第４レンズ群は、前記非球面プラスチックレンズと、正レンズとを備えており、
前記第４レンズ群における前記正レンズは、以下の条件式を満足することを特徴とする請求項１から請求項８のいずれか１項に記載のズームレンズ。
30≦νｄ４≦71
30≦νｄ４＜36のとき
-0.013×νｄ４＋2.083≦ｎｄ４≦1.7
36≦νｄ４＜41のとき
-0.013×νｄ４＋2.083≦ｎｄ４≦-0.004×νｄ４＋1.844
41≦νｄ４＜51のとき
-0.004×νｄ４＋1.714≦ｎｄ４≦-0.004×νｄ４＋1.844
51≦νｄ４＜61のとき
-0.0015×νｄ４＋1.5865≦ｎｄ４≦-0.004×νｄ４＋1.844
61≦νｄ４≦71のとき
-0.0015×νｄ４＋1.5865≦ｎｄ４≦-0.009×νｄ４＋2.149
但し、
ｎｄ４：前記第４レンズ群における前記正レンズの材質のｄ線（波長λ＝５８７．６ｎｍ）に対する屈折率
νｄ４：前記第４レンズ群における前記正レンズの材質のｄ線（波長λ＝５８７．６ｎｍ）に対するアッベ数
【請求項１０】
前記第４レンズ群における前記非球面プラスチックレンズは、以下の条件式を満足することを特徴とする請求項１から請求項９のいずれか１項に記載のズームレンズ。
|ｆ４／ｆＰ|≦０．９
但し、
ｆ４：前記第４レンズ群の焦点距離
ｆＰ：前記第４レンズ群における前記非球面プラスチックレンズの焦点距離
【請求項１１】
前記第４レンズ群は、少なくとも１枚の正レンズと、１枚の負レンズとからなることを特徴とする請求項１から請求項１０のいずれか１項に記載のズームレンズ。
【請求項１２】
以下の条件式を満足することを特徴とする請求項１から請求項１１のいずれか１項に記載のズームレンズ。
１．０≦ｆ２／ｆｗ≦２．３
但し、
ｆｗ：広角端状態における前記ズームレンズの焦点距離
ｆ２：前記第２レンズ群の焦点距離
【請求項１３】
以下の条件式を満足することを特徴とする請求項１から請求項１２のいずれか１項に記載のズームレンズ。
０．８≦（−ｆ３）／ｆｗ≦３．０
但し、
ｆｗ：広角端状態における前記ズームレンズの焦点距離
ｆ３：前記第３レンズ群の焦点距離
【請求項１４】
前記第２レンズ群は、２枚の正レンズと、１枚の負レンズとから構成されていることを特徴とする請求項１から請求項１３のいずれか１項に記載のズームレンズ。
【請求項１５】
前記第２レンズ群において、前記２枚の正レンズのうちの１枚と前記１枚の負レンズとは接合されていることを特徴とする請求項１４に記載のズームレンズ。
【請求項１６】
前記第３レンズ群は、１枚の正レンズと、１枚の負レンズとから構成されていることを特徴とする請求項１から請求項１５のいずれか１項に記載のズームレンズ。
【請求項１７】
前記第３レンズ群近傍に開口絞りを有し、
前記開口絞りは、前記第３レンズ群と一体的に移動することを特徴とする請求項１から請求項１６のいずれか１項に記載のズームレンズ。
【請求項１８】
前記第２レンズ群と前記第４レンズ群とは、望遠端状態から広角端状態への変倍に際して、一体的に移動することを特徴とする請求項１から請求項１７のいずれか１項に記載のズームレンズ。
【請求項１９】
前記第４レンズ群における前記非球面プラスチックレンズは、最も像側のレンズよりも物体側に配置されていることを特徴とする請求項１から請求項１８のいずれか１項に記載のズームレンズ。
【請求項２０】
請求項１から請求項１９のいずれか１項に記載のズームレンズを備えたことを特徴とする撮像装置。
【請求項２１】
物体側から順に、負の屈折力を有する第１レンズ群と、正の屈折力を有する第２レンズ群と、負の屈折力を有する第３レンズ群と、正の屈折力を有する第４レンズ群とからなり、前記第４レンズ群が非球面プラスチックレンズを備えているズームレンズの変倍方法であって、
広角端状態から望遠端状態への変倍に際して、前記第１レンズ群と前記第２レンズ群との間隔が減少し、前記第２レンズ群と前記第３レンズ群との間隔が増加し、前記第３レンズ群と前記第４レンズ群との間隔が減少するように、前記各レンズ群が光軸に沿って移動し、
前記第１レンズ群は、負レンズを有し、
前記第１レンズ群における前記負レンズは、以下の条件式を満足することを特徴とするズームレンズの変倍方法。
30≦νｄ１≦71
30≦νｄ１＜36のとき
-0.013×νｄ１＋2.083≦ｎｄ１≦1.7
36≦νｄ１＜41のとき
-0.013×νｄ１＋2.083≦ｎｄ１≦-0.004×νｄ１＋1.844
41≦νｄ１＜51のとき
-0.004×νｄ１＋1.714≦ｎｄ１≦-0.004×νｄ１＋1.844
51≦νｄ１＜61のとき
-0.0015×νｄ１＋1.5865≦ｎｄ１≦-0.004×νｄ１＋1.844
61≦νｄ１≦71のとき
-0.0015×νｄ１＋1.5865≦ｎｄ１≦-0.009×νｄ１＋2.149
但し、
ｎｄ１：前記第１レンズ群における前記負レンズの材質のｄ線（波長λ＝５８７．６ｎｍ）に対する屈折率
νｄ１：前記第１レンズ群における前記負レンズの材質のｄ線（波長λ＝５８７．６ｎｍ）に対するアッベ数